(57)【要約】【課題】  ＧＰＯＮにおいてＯＮＴ管理制御情報伝送のためのＧＴＣフレーム構造及びその伝送方法を提供する。【解決手段】  ギガビット受動型光加入者ネットワークでＯＬＴから管理制御情報をＯＮＴに伝送するための方法は、ＧＥＭモードを支援するための目的地識別子情報及び非同期転送モードを支援するための目的地識別子情報のいずれか１つの識別子情報を含むＯＮＴ管理制御チャネル(ＯＭＣＣ)フィールドを有する物理制御ブロックダウンストリーム(ＰＣＢｄ)部、及びデータを含むペイロード部を含むＧＴＣフレームを構成する第１段階と、前記ＧＴＣフレームを伝送する第２段階と、を含む。【選択図】  図５
2004320745.tif 000002
【特許請求の範囲】
【請求項１】
ギガビット受動型光加入者ネットワークでＯＬＴから管理制御情報をＯＮＴに伝送するための方法において、
ＧＥＭモードを支援するための目的地識別子情報及び非同期転送モードを支援するための目的地識別子情報のいずれか１つの識別子情報を含むＯＮＴ管理制御チャネル(ＯＭＣＣ)フィールドを有する物理制御ブロックダウンストリーム(ＰＣＢｄ)部、及びデータを含むペイロード部を含むＧＴＣフレームを構成する第１段階と、
前記ＧＴＣフレームを伝送する第２段階と、
を含むギガビット受動型光加入者ネットワークにおけるＯＮＴ管理制御情報伝送方法。
【請求項２】
物理制御ブロックダウンストリーム部は、前記ＯＮＴ管理制御チャネルフィールドの挿入可否を判断するためのＯＮＴ管理制御チャネルフラグフィールドをさらに含む請求項１に記載のギガビット受動型光加入者ネットワークにおけるＯＮＴ管理制御情報伝送方法。
【請求項３】
前記ＯＮＴのモードがＧＥＭモードである場合、前記ＯＮＴ管理制御チャネルフィールドのＧＥＭモードを支援するための目的地識別子情報としてポート識別子を使用する請求項１または請求項２に記載のギガビット受動型光加入者ネットワークにおけるＯＮＴ管理制御情報伝送方法。
【請求項４】
前記ＯＮＴのモードが非同期転送モードである場合、前記ＯＮＴ管理制御チャネルフィールドの非同期転送モードを支援するための目的地識別子情報としてＶＰＩ／ＶＣＩを使用する請求項１または請求項２に記載のギガビット受動型光加入者ネットワークにおけるＯＮＴ管理制御情報伝送方法。
【請求項５】
前記目的地識別子情報としてＯＮＴ ＩＤを使用する請求項１または請求項２に記載のギガビット受動型光加入者ネットワークにおけるＯＮＴ管理制御情報伝送方法。
【請求項６】
前記ＯＮＴ管理制御チャネルフラグフィールドとしてＧ．ＧＰＯＮ．ＧＴＣによって定義されたＩｄｅｎｔフィールド内の１つのビットを使用する請求項２に記載のギガビット受動型光加入者ネットワークにおけるＯＮＴ管理制御情報伝送方法。
【請求項７】
ギガビット受動型光加入者ネットワークでＯＮＴから管理制御情報をＯＬＴに伝送する方法において、
ＧＥＭモードを支援するための目的地識別子情報及び非同期転送モードを支援するための目的地識別子情報のうちいずれか１つの識別子情報を含むＯＮＴ管理制御チャネルフィールドを有する物理制御ブロックアップストリーム(ＰＣＢｕ)部、及びデータが含まれたペイロード部を含むＧＴＣフレームを構成する第１段階と、
前記ＧＴＣフレームを伝送する第２段階と、
を含むことを特徴とするギガビット受動型光加入者ネットワークにおけるＯＮＴ管理制御情報伝送方法。
【請求項８】
前記物理制御ブロックアップストリーム部は、前記ＯＮＴ管理制御チャネルフィールドの挿入可否を判断するためのＯＮＴ管理制御チャネルフラグフィールドをさらに含む請求項７に記載のギガビット受動型光加入者ネットワークにおけるＯＮＴ管理制御情報伝送方法。
【請求項９】
前記ＯＮＴのモードがＧＥＭモードである場合、前記ＯＮＴ管理制御チャネルフィールドのＧＥＭモードを支援するための目的地識別子情報としてポート識別子を使用する請求項７または請求項８に記載のギガビット受動型光加入者ネットワークにおけるＯＮＴ管理制御情報伝送方法。
【請求項１０】
前記ＯＮＴのモードが非同期転送モードである場合、前記ＯＮＴ管理制御チャネルフィールドの非同期転送モードを支援するための目的地識別子情報としてＶＰＩ／ＶＣＩを使用する請求項７または請求項８に記載のギガビット受動型光加入者ネットワークにおけるＯＮＴ管理制御情報伝送方法。
【請求項１１】
前記目的地識別子情報としてＯＮＴ ＩＤを使用する請求項７または請求項８に記載のギガビット受動型光加入者ネットワークにおけるＯＮＴ管理制御情報伝送方法。
【請求項１２】
前記ＯＮＴ管理制御チャネルフラグフィールドとしてＧ．ＧＰＯＮ．ＧＴＣによって定義されたＩｄｅｎｔフィールド内の１つのビットを使用する請求項８に記載のギガビット受動型光加入者ネットワークにおけるＯＮＴ管理制御情報伝送方法。
【請求項１３】
ギガビット受動型光加入者ネットワークでＯＬＴとＯＮＴとの間に管理制御情報を伝送するためのＧＴＣフレーム構造において、
ＧＥＭモードを支援するための目的地識別子情報または同期転送モードを支援するための目的地識別子情報のうちいずれか１つの識別子情報を含むＯＮＴ管理制御チャネルフィールドを有する物理制御ブロック部と、
データを含むペイロード部と、
を含むことを特徴とするギガビット受動型光加入者ネットワークにおける管理制御情報伝送のためのＧＴＣフレーム構造。
【請求項１４】
前記物理制御ブロック部は、前記ＯＮＴ管理制御チャネルフィールドの挿入可否を判断するためのＯＮＴ管理制御チャネルフラグフィールドをさらに含む請求項１３に記載のギガビット受動型光加入者ネットワークにおける管理制御情報伝送のためのＧＴＣフレーム構造。
【請求項１５】
前記ＯＮＴのモードがＧＥＭモードである場合、前記ＯＮＴ管理制御チャネルフィールドのＧＥＭモードを支援するための目的地識別子情報としてポート識別子を使用する請求項１３または請求項１４に記載のギガビット受動型光加入者ネットワークにおける管理制御情報伝送のためのＧＴＣフレーム構造。
【請求項１６】
前記ＯＮＴのモードが非同期転送モードである場合、前記ＯＮＴ管理制御チャネルフィールドの非同期転送モードを支援するための目的地識別子情報としてＶＰＩ／ＶＣＩを使用する請求項１３または請求項１４に記載のギガビット受動型光加入者ネットワークにおける管理制御情報伝送のためのＧＴＣフレーム構造。
【請求項１７】
前記目的地識別子情報としてＯＮＴ ＩＤを使用する請求項１３または請求項１４に記載のギガビット受動型光加入者ネットワークにおける管理制御情報伝送のためのＧＴＣフレーム構造。
【請求項１８】
前記ＯＮＴ管理制御チャネルフラグフィールドとしてＧ．ＧＰＯＮ．ＧＴＣによって定義されたＩｄｅｎｔフィールド内の１つのビットを使用する請求項１４に記載のギガビット受動型光加入者ネットワークにおける管理制御情報伝送のためのＧＴＣフレーム構造。
【発明の詳細な説明】
【技術分野】
【０００１】
本発明は、ギガビット-受動型光加入者ネットワーク(Gigabit-capable Passive Optical Network: 以下、ＧＰＯＮと称する)のＯＮＴ(Optical Network Terminal)管理制御プロトコルに関する。
【背景技術】
【０００２】
電話局からビル及び家庭までの加入者ネットワークの構成のために、最近は、多様なネットワーク構造及び多様な改善方案が提示されている。例えば、ｘＤＳＬ(x-Digital Subscriber Line)、ＨＦＣ(Hybrid Fiber Coax)、ＦＴＴＢ(Fiber To The Building)、ＦＴＴＣ(Fiber To The Curb)、ＦＴＴＨ(Fiber To The Home)などがある。これらのうち、ＦＴＴｘ(x=B,C,H)は、能動型光加入者ネットワーク(Active Optical Network: 以下、ＡＯＮと称する)構成によって具現された能動型ＦＴＴｘと受動型光加入者ネットワーク(ＰＯＮ)構成によって具現された受動型ＦＴＴｘに区分される。
【０００３】
この時、受動型ＦＴＴｘの具現に関連したＰＯＮは、受動素子による点対多点(point-to-multipoint)のトポロジー(topology)を有するネットワーク構成によって、将来経済性のある光加入者ネットワーク具現方案として提示されている。つまり、ＰＯＮにおいて、１つの終端装置(Optical Line Termination: 以下、ＯＬＴと称する)が複数の光加入者ネットワーク装置(Optical Network Unit: 以下、ＯＮＵと称する)に１×Ｎの受動型光分配器(Optical Distribution Network: 以下、ＯＤＮと称する)を使用して連結されることによって、ツリー構造の分散トポロジーを形成する。
【０００４】
このＰＯＮの形態としては、非同期伝送モード-受動型光加入者ネットワーク(Asynchronous Transfer Mode Passive Optical Network： 以下、ＡＴＭ-ＰＯＮと称する)が最初に開発されて標準化された。前記標準化の内容は、ＩＴＵ-Ｔ(International Telecommunication Union - Telecommunication section)において文書化されたＩＴＵ-Ｔ Ｇ．９８２、ＩＴＵ-Ｔ Ｇ．９８３．１、ＩＴＵ-Ｔ Ｇ．９８３．３に記述されている。さらに、現在ＩＴＵ-ＴによってＧＰＯＮの標準化が進行中である。
【０００５】
図１は、通常のＰＯＮの構成図である。通常のＰＯＮは、１つのＯＬＴ及び複数のＯＮＵを含む。図１において、１つのＯＬＴ１０が３つのＯＮＵ１２ａ、１２ｂ、１２ｃにＯＤＮ１６によって接続された例を示す。
図１を参照すると、ＯＬＴ１０は、ツリー構造のルート(root)に位置し、アクセスネットワークの加入者に情報を提供するための中心役割を遂行する。ＯＤＮ１６は、ＯＬＴ１０に接続され、ツリートポロジー構造を有する。さらに、ＯＤＮ１６は、ＯＬＴ１０から伝送されるダウンストリーム(downstream)データフレームをＯＮＵ１２ａ、１２ｂ、１２ｃに分配し、ＯＮＵ１２ａ、１２ｂ、１２ｃから伝送されるアップストリーム(upstream)データフレームをマルチプレキシングしてＯＬＴ１０に伝送する。一方、ＯＮＵ１２ａ、１２ｂ、１２ｃは、ダウンストリームデータフレームを受信して終端使用者１４ａ、１４ｂ、１４ｃに提供し、終端使用者１４ａ、１４ｂ、１４ｃから出力されるデータをアップストリームデータフレームとしてＯＤＮ１６を通じてＯＬＴ２０に伝送する。この時、ＯＮＵ１２ａ、１２ｂ、１２ｃにそれぞれ連結された終端使用者１４ａ、１４ｂ、１４ｃは、ＮＴ(Network Terminal)を有するＰＯＮにおいて使用されることのできる多種の加入者ネットワーク終端装置を意味する。
【０００６】
一般的に、ＡＴＭ-ＰＯＮにおいては、５３バイトのサイズを有するＡＴＭセル(cell)を一定のサイズでパッケージしたデータフレーム形態でアップストリーム伝送／ダウンストリーム伝送する。図１のようなツリー構造のＰＯＮにおいて、ＯＬＴ１０は、ダウンストリームフレーム内にＯＮＵ１２ａ、１２ｂ、１２ｃのそれぞれに分配されるダウンストリームセルを適切に挿入する。さらに、アップストリーム伝送を遂行する場合、ＯＬＴ１０は、時分割多重(Time Division Multiplexing: ＴＤＭ)方式によってＯＮＵ１２ａ、１２ｂ、１２ｃから伝送されたデータをアクセスする。この時、ＯＬＴ１０が受動素子であるＯＤＮ１６によってＯＮＵ１２ａ、１２ｂ、１２ｃに接続されるので、ＯＬＴ１０は、レンジング(ranging)という仮想距離補正アルゴリズムを利用してＯＤＮ１６においてデータの相互衝突を防止する。さらに、ＯＬＴ１０からＯＮＵ１２ａ、１２ｂ、１２ｃにダウンストリームデータ伝送を遂行する場合、ＯＬＴ１０は、ＯＮＵ１２ａ、１２ｂ、１２ｃと暗号化のための暗号キー及び維持及び管理のためのＯＡＭ(Operations、Administration and Maintenance)メッセージを交換する。従って、上／ダウンストリームフレームにおいて一定間隔でメッセージを交換する専用ＡＴＭセルまたは一般ＡＴＭセル内にデータフィールドが提供される。
【０００７】
前述したように標準化が完了されたＧ．９８３シリーズに基づく広帯域受動型光加入者ネットワーク(Broadband Passive Optical Network: 以下、ＢＰＯＮと称する)は、ＡＴＭに基づいて動作する。しかしながら、ＧＰＯＮは、ＡＴＭサービスを処理するセルに基づく伝送方式(ＡＴＭと言われる)だけでなく、ＴＤＭ及びイーサネット(登録商標)サービスのように可変長を有するパケットを処理するＧＥＭ(GPON Encapsulation Method)方式(ＧＥＭと言われる)も支援する。この時、ＡＴＭは、伝送データをセル単位でＧＴＣ(GPON Transmission Convergence: 以下、ＧＴＣと称する)フレームにマッピングして伝送し、ＧＥＭは、伝送データをフレーム単位でＧＴＣフレームにマッピングして伝送する。
【０００８】
図２は、通常のＧＰＯＮのプロトコルスタック構造を示す図である。図２を参照すると、ＧＰＯＮのプロトコルスタックは、上位階層とインターフェースするプロトコル階層１００、ＧＴＣ階層２００、及びＧＰＭ(GPON Physical Media dependent)階層３００を含む。プロトコル階層１００は、ＡＴＭ(Asynchronous Transfer Mode)クライアント１１０、ＯＭＣＩ(ONT Management Control Interface)１２０、ＧＥＭクライアント１３０、及びＰＬＯＡＭ(Physical Layer Operation Administration Maintenance)モジュール１４０を含む。
【０００９】
このような構成を有するＧＰＯＮプロトコルは、上位階層から伝送されたフレームをＧＴＣ階層２００においてＧＴＣフレームに多重化して伝送する。さらに、ＡＴＭクライアント１１０は、ＡＴＭの伝送方式を支援し、ＧＥＭクライアント１３０は、ＧＥＭの伝送方式を支援する。
【００１０】
ＡＴＭクライアント１１０は、ＡＴＭを利用して固定長さのセル単位で伝送データをＧＴＣフレームにマッピングする。この時、ＧＴＣフレーム内にセル長さ(通常に、５３バイト)より短い長さを有する空間が残る場合、伝送データを次のフレームにマッピングして伝送する。従って、ＡＴＭの場合、セルが分割されない。
【００１１】
しかしながら、ＧＥＭフレームは可変長を有するパケットであるので、ＧＥＭクライアント１３０は、ＧＥＭフレームをＧＴＣフレームにマッピングする時、帯域幅を効率的に使用するために、ＧＥＭフレームを分割して伝送する。
【００１２】
例えば、ＧＥＭクライアント１３０が上位階層から使用者データ(user data)を受信すると、ＧＥＭクライアント１３０は、ＧＴＣ階層２００から現在待機中のＧＴＣフレームの空間情報(例えば、長さ)を受信する。ＧＥＭクライアント１３０は、前記空間情報によって使用者データを複数のＧＥＭフレームに分割するか、それとも、前記使用者データを分割せずに１つのＧＥＭフレームとして形成する。その後、ＧＥＭクライアント１３０は、前記ＧＥＭフレームをＧＴＣ階層２００に伝送する。ＧＴＣ階層２００は、前記ＧＥＭフレームを現在待機中のＧＴＣフレームにマッピングして伝送する。
【００１３】
一方、受信側は、ＧＥＭ階層２０において前述したように分割されたＧＥＭフレームを再組立てした後、上位階層に伝達する。
従来技術においては、ＢＰＯＮのために提供されたＯＮＴ管理制御プロトコルがある。ＢＰＯＮは、Ｇ．９８３．１シリーズにおいて定義されたようにＡＴＭ基盤で動作する。さらに、Ｇ．９８３．２シリーズは、ＢＰＯＮのＯＮＴ管理制御インターフェースを定義する。ＢＰＯＮのＯＮＴ管理制御インターフェースは、ＡＴＭ基盤でも動作する。さらに、Ｇ．９８３．２シリーズは、管理制御情報を伝達するＡＴＭセル基盤のフレーム構造を定義する。
【００１４】
図３は、Ｇ．９８３．２において定義されたＢＰＯＮ ＯＮＴ管理制御情報を伝達するフレームの構造図である。フレームを構成するフィールドの詳細な説明は、次のようである。
まず、ＡＴＭヘッダ３０１は、管理制御のために使用されるチャネルアドレスであるＶＰＩ(Virtual Path Identifier)／ＶＣＩ(Virtual Channel Identifier)値を示す。
反応関係識別子(Transaction Correlation Identifier)３０２は、要請(Request)メッセージと応答(Response)メッセージとの間の関係を示す。
メッセージタイプ(Message Type)３０３は、メッセージの種類を示す。
ディバイス識別子(Device Identifier)３０４は、ＩＴＵ-Ｔ Ｇ．９８３．１基盤のシステム(ＯｘＯＡ)を示す。
メッセージ識別子(Message Identifier)３０５は、“管理固体(Managed entity)”及び“管理固体例(Managed entity instance)”を示す。
メッセージコンテンツ(Message Contents)３０６は、メッセージ タイプ３０３によって定義されたメッセージ内容を示す。
【００１５】
図４は、従来のＴＤＭ及びイーサネット(登録商標)サービスを支援するＧＥＭフレームの構造図である。従来のＧＥＭフレームの構造は、ＴＤＭフレームまたはイーサネット(登録商標)フレームを支援するために定義される。
図４を参照すると、従来のＧＥＭフレームは、ＰＬＩ(L)(１６ビット)４１０、Ｐｏｒｔ ＩＤ(１２ビット)４２０、Ｆｒａｇ(２ビット)４３０、ＦＦＳ(２ビット)４４０、ＨＥＣ(１６ビット)４５０、及びＦｒａｇｍｅｎｔ Ｐａｙｌｏａｄ(Ｌバイト)４６０を含む。
ＰＬＩ(Payload Length Identifier)４１０、Ｐｏｒｔ ＩＤ４２０、Ｆｒａｇ４３０、ＦＦＳ４４０及びＨＥＣ４５０は、ＧＥＭヘッダに含まれる。
【００１６】
ＰＬＩ４１０は、ペイロードの長さを表示するフィールドであり、Ｐｏｒｔ ＩＤ４２０は、トラヒックマルチプレキシングを提供するためにトラヒックを区分するためのＩＤを表示するフィールドであり、Ｆｒａｇ４３０は、ペイロードの分割状態を表示するフィールドであり、ＨＥＣ４５０は、ヘッダエラー検出及びヘッダエラー修正のためのフィールドである。一方、ＦＦＳ４４０は、未定の保留フィールドである。
【００１７】
従来のＧＥＭフレームヘッダに含まれるＦｒａｇ４３０は、Ｆｒａｇ４３０の２ビットを利用することによって現在伝送されるＧＥＭペイロードが分割されたフレームであるか否かを表示する。例えば、分割されなかったＧＥＭフレームは、Ｆｒａｇ４３０を“１１”に設定する。ＧＥＭフレームが分割された場合、前記分割されたＧＥＭフレームの開始フレームはＦｒａｇ４３０を“１０”に設定し、前記分割されたＧＥＭフレームの中間フレームはＦｒａｇ４３０を“００”に設定し、前記分割されたＧＥＭフレームの最後のフレームは、Ｆｒａｇ４３０を“０１”に設定する。従って、Ｆｒａｇ４３０は、ＧＥＭフレームが分割されたフレームであるか否かを示す。さらに、Ｆｒａｇ４３０は、前記ＧＥＭフレームが分割されたフレームである場合、分割されたＧＥＭフレームの部分を示す。
【００１８】
一方、ＩＴＵ-Ｔにおいて標準化進行中のＧＰＯＮは、１つのＯＬＴが複数のＯＮＴと通信する。この時、ＯＬＴは、ＡＴＭ及びＧＥＭの両方、または、ＡＴＭ及びＧＥＭのいずれかを支援してデータを伝送することができる。しかしながら、ＯＮＴは、ＡＴＭ及びＧＥＭのうち１つのモードのみを支援すると定義されている。さらに、ＯＬＴは、通信のために連結されたＯＮＴを管理するためにＯＮＴ管理制御インターフェースが必要である。従って、ＯＬＴが異なる伝送モードを使用してＯＮＴと通信するので、前記ＯＮＴ管理制御インターフェースは異なる伝送モードを支援すべきである。
【００１９】
しかしながら、Ｇ．９８３．２において定義されたＯＮＴ管理制御インターフェースのためのプロトコルは、ＡＴＭ基盤で動作する。従って、ＯＮＴ管理制御パケットは、５３バイトの長さを有するＡＴＭセル(図３を参照)を利用して伝送される。この時、ＡＴＭヘッダは、ＯＮＴ管理制御インターフェースのためのチャネルアドレスであるＶＰＩ／ＶＣＩ値を表示する。さらに、Transaction Correlation Id３０２、メッセージ タイプ３０３、ディバイス識別子３０４、メッセージ識別子３０５、メッセージコンテンツ３０６、ＡＡＬ５トレーラ(trailer)３０７のような情報は、ＡＴＭセルペイロードを通じて伝達される。従って、ＡＴＭによって動作するＯＮＴは、Ｇ．９８３．２によって定義されたＯＮＴ管理制御インターフェースを使用することができる。
【００２０】
しかしながら、ＧＰＯＮにおいて、ＧＥＭのＯＮＴ管理制御インターフェースモードとＡＴＭモードのＯＮＴ管理制御インターフェースは区分されて定義される問題点がある。従って、ＧＥＭンによって動作するＯＮＴは、ＡＴＭのＯＮＴ管理制御インターフェースを使用することができない。
【００２１】
前述したように、ＧＥＭプロトコルにおいてＯＮＴ管理制御インターフェース(ONT Management Control Interface： ＯＭＣＩ)情報を伝達することのできる方案が考慮されていない。従って、ＧＥＭプロトコルは、管理制御インターフェース情報を伝達することのできるメカニズムに対する定義が要求される。
【００２２】
一般的に、ＧＥＭペイロード(payload)及びＡＴＭペイロードを両方とも支援するＧＰＯＮにおいてＯＭＣＩ情報を伝達する方案として２つの方案がある。１つの方案は、バンド内(in-band)方式であり、フレームのヘッダなどに割り当てられたチャネル(dedicated channel)に常にフィールド(field)を割り当てて使用する方案である。他の方案は、バンド外(out-of-band)方式であり、ＯＭＣＩ情報のためのフレームを定義する方式である。
【００２３】
バンド外方式は、現在のＧ．９８３．２をＡＴＭモードのためにそのまま使用することができるが、ＧＥＭモードのためのＯＭＣＩを新しく定義すべきである。
一方、バンド内方式は、ＧＰＯＮがＡＴＭモード及びＧＥＭモードを両方とも支援するので、現在のＧ．９８３．２を使用するためには、ＧＥＭモードのＯＭＣＩがＧ．９８３．２規格をそのまま使用すべきであるか、Ｇ．９８３．２のＯＭＣＩと同一のサイズのＯＭＣＩフィールドを使用すべきであるかということなど、ＧＥＭモードのためのＯＭＣＩの定義に限界がある。しかしながら、バンド内方式は、常に固定チャネルを割り当てるという面で有利であり、新しいＯＭＣＩを定義することでないので、標準との互換面でも有利である。
【発明の開示】
【発明が解決しようとする課題】
【００２４】
本発明は、前述したような問題を解決するために提案され、本発明の目的は、ＧＰＯＮにおいて、ＡＴＭモードを支援するＯＮＴ及びＧＥＭモードを支援するＯＮＴに対して管理制御情報を伝達することのできるＧＰＯＮにおけるＯＮＴ管理制御情報伝送のためのＧＴＣフレーム構造及びその伝送方法を提供することにある。
【００２５】
本発明の目的は、バンド内方式に基づいて既存のＧ．９８３．２ を支援することを前提にして、ＡＴＭモード及びＧＥＭモードを同時に支援することのできるＯＮＴ管理制御情報伝達方案を提供することにある。
【課題を解決するための手段】
【００２６】
このような発明の解決するための本発明によると、ギガビット受動型光加入者ネットワークでＯＬＴから管理制御情報をＯＮＴに伝送するための方法は、ＧＥＭモードを支援するための目的地識別子情報及び非同期転送モードを支援するための目的地識別子情報のいずれか１つの識別子情報を含むＯＮＴ管理制御チャネル(ＯＭＣＣ)フィールドを有する物理制御ブロックダウンストリーム(ＰＣＢｄ)部、及びデータを含むペイロード部を含むＧＴＣフレームを構成する第１段階と、前記ＧＴＣフレームを伝送する第２段階と、を含む。
【００２７】
本発明のよると、ギガビット受動型光加入者ネットワークでＯＮＴから管理制御情報をＯＬＴに伝送する方法は、ＧＥＭモードを支援するための目的地識別子情報及び非同期転送モードを支援するための目的地識別子情報のうちいずれか１つの識別子情報を含むＯＮＴ管理制御チャネルフィールドを有する物理制御ブロックアップストリーム(ＰＣＢｕ)部、及びデータが含まれたペイロード部を含むＧＴＣフレームを構成する第１段階と、前記ＧＴＣフレームを伝送する第２段階と、を含む。
【００２８】
本発明によると、ギガビット受動型光加入者ネットワークでＯＬＴとＯＮＴとの間に管理制御情報を伝送するためのＧＴＣフレーム構造は、ＧＥＭモードを支援するための目的地識別子情報または同期転送モードを支援するための目的地識別子情報のうちいずれか１つの識別子情報を含むＯＮＴ管理制御チャネルフィールドを有する物理制御ブロック部と、データを含むペイロード部と、を含む。
【発明の効果】
【００２９】
本発明は、ＯＭＣＩ情報を含むＯＭＣＣフィールドが追加されたＧＴＣフレームを使用して、ＡＴＭモードクライアントまたはＧＥＭモードクライアントに対する制御情報を交換することのできるメカニズムを提供することができるという効果がある。つまり、ＧＰＯＮにおいて、ＯＬＴがＡＴＭモードで動作するＯＮＴだけでなく、ＧＥＭモードで動作するＯＮＴも管理制御することができるという効果がある。
【発明を実施するための最良の形態】
【００３０】
以下、本発明の好適な一実施形態について添付図を参照しつつ詳細に説明する。下記の説明において、本発明の要旨のみを明確にする目的で、関連した公知機能又は構成に関する具体的な説明は省略する。
ＯＮＴ管理制御インターフェース(ONT Management Control Interface: 以下、ＯＭＣＩと称する)は、ＯＮＵ管理に対するプロトコルであり、一種のＯＡＭ(Operations、Administration and Maintenance)スペックである。標準案Ｇ．９８３．２によると、現在ＢＰＯＮのためのＯＭＣＩのフィールドは、構成管理(Configuration management)、誤謬管理(Fault management)、性能管理(Performance management)、保安管理(Security management)などに分けられることができる。さらに、それぞれのフィールドによって制御メッセージ(control message)、つまり、ＯＭＣＩメッセージを送受信する方法、各メッセージタイプ(message type)及び必要な特性(attribute)などが定義されている。
【００３１】
つまり、ＯＭＣＩは、上位階層(ＧＴＣの上)のサービスを提供するための一種の管理システムプロトコルであると考えられる。従って、ＧＰＯＮのＯＭＣＩは、ＡＴＭモードだけでなくＧＥＭモードも支援するので、ＧＥＭモードのためのＯＭＣＩを設定する必要がある。この目的のために、本発明は、Ｇ．９８３．２を基本にして具現する。
【００３２】
図５は、本発明によるＧＰＯＮにおけるＧＴＣフレームの構造図である。図５に示すように、“Ｇ．ＧＰＯＮ．ＧＴＣ”によって定義されたＧＴＣフレーム構造にＯＭＣＩチャネルが追加される。
まず、ＧＰＯＮにおけるＧＴＣフレームは、物理制御ブロックダウンストリーム(Physical Control Block downstream: 以下、ＰＣＢｄと称する)フィールド５００とペイロードフィールド(Payload field)５１０に分けられる。本発明において、ＯＬＴからＯＮＴへのダウンストリームに対する構成を例にしてＰＣＢｄフィールド５００を使用している。さらに、ＯＮＴからＯＬＴへのアップストリームにおいても同一の構造を使用する。
ＧＴＣフレーム構造において、ＰＣＢｄフィールド５００は、一般的に、同期化のためのＰＳｙｎｃフィールド５１、長さが長いフレームの認知(indication)のためにＦＥＣ(Forward Error Control)使用状態及びキースイッチング(key-switching)状態を示すＩｄｅｎｔフィールド５２、ＰＬＯＡＭ(physical layer operations and maintenance)フィールド５３及び帯域幅割り当て／報告構造(Bandwidth allocation/report structure)などを含むヘッダ部である。
【００３３】
さらに、ペイロードフィールド５１０は、ＧＴＣフレームによって伝送されるデータを含む。
本発明において、図５によると、ＰＣＢｄフィールド５００は、ＯＭＣＩ情報を伝達するためのＯＮＴ管理制御チャネル(ONT Management Control Channel： 以下、ＯＭＣＣと称する)フィールド５４を含む。さらに、ＯＭＣＣフィールド５４は、ＡＴＭモードを支援するために目的地ＶＰＩ(Virtual Path Identifier)／ＶＣＩ(Virtual Channel Identifier)を含むか、それとも、ＧＥＭモードを支援するためにＰｏｒｔ ＩＤを含むフィールド５５を少なくとも有する。つまり、本発明は、ＡＴＭモードの支援のために前記ＰＣＢｄ部分に目的地ＶＰＩ／ＶＣＩを含むか、ＧＥＭモードの支援のためにＰｏｒｔ ＩＤを含むＯＭＣＣフィールドを追加する。ここで、 本発明においては、前記ＯＭＣＣフィールドの内容、サイズ及び位置に関して具体的に説明していないが、基本的に、Ｇ．９８３．２のフォーマットに従う。つまり、図３の反応関係識別子(Transaction Correlation Identifier)３０２、メッセージタイプ３０３、ディバイス識別子３０４、メッセージ識別子３０５及びメッセージコンテンツ３０６が含まれることができる。
【００３４】
ここで、図３は、ＡＴＭモードのためのＯＭＣＩ情報であるので、ＧＥＭモードのためのＯＭＣＩ情報のためにはＰｏｒｔ ＩＤを使用する。 
さらに、ＯＭＣＣフィールド５４は、常に伝送されることでなく必要によって挿入されることができるので、対応するフィールドが挿入されたか否かを表示するためのフラグビットが挿入されることができる。これに関しては、図７を参照して詳細に後述する。
【００３５】
図６は、本発明の他の実施形態によるＧＰＯＮにおけるＧＴＣフレームの構造図である。図６に示すように、“Ｇ．ＧＰＯＮ．ＧＴＣ”によって定義されたＧＴＣフレーム構造にＯＭＣＩチャネルが追加される。
まず、ＧＰＯＮにおけるＧＴＣフレームは、ＰＣＢｄフィールド５００とペイロードフィールド５１０に分けられる。
【００３６】
ＧＴＣフレーム構造において、ＰＣＢｄフィールド５００は、一般的に、同期化のためのＰＳｙｎｃフィールド５１、長さが長いフレームの認知のためにＦＥＣ使用状態及びキースイッチング状態を示すＩｄｅｎｔフィールド５２、ＰＬＯＡＭ(physical layer operations and maintenance)フィールド５３及び帯域幅割り当て／報告構造などを含むヘッダ部である。
【００３７】
一方、ペイロードフィールド５１０は、ＧＴＣフレームによって伝送されるデータを含む。本発明において、ＰＣＢｄフィールド５００は、ＯＭＣＩ情報を伝達するためのＯＭＣＣフィールド５４を含む。
【００３８】
ここで、本発明の実施形態によると、ＯＭＣＣフィールド５４は、ＯＭＣＣフィールド５４の目的地を区別するための識別子としてＶＰＩ／ＶＣＩまたはＰｏｒｔ ＩＤの代わりにＯＮＵ_ＩＤフィールド６１を使用する。
つまり、ＯＭＣＣフィールド５４におけるＯＭＣＩが、制御の主体として、ＶＰＩ／ＶＣＩまたはＰｏｒｔ ＩＤによって区別される特定チャネル、経路、またはポートでなく、ＯＮＴ(またはＯＮＵ)を採用するので、ＯＭＣＣフィールド５４は、目的地識別子としてＯＮＵ＿ＩＤを使用することができる。
【００３９】
特に、この場合は、ＡＴＭモードまたはＧＥＭモードによって異なる目的地識別子を使用する図５とは異なり、支援モードに関係なく１つのＩＤを使用するので、ＯＭＣＣのフィールドフォーマットが簡単になる。さらに、本発明の実施形態によると、図２に示すＧＴＣ ｆｒａｍｉｎｇ ＳｕｂｌａｙｅｒからＴＣ ａｄａｐｔａｔｉｏｎ Ｓｕｂｌａｙｅｒを経ずに直接ＯＮＵ_ＩＤを抽出することができるので、図２のプロトコルスタックが図８に示すように変更される。
【００４０】
前述したように、ＯＮＴ＿ＩＤフィールド６１を含むＯＭＣＣフィールド５４がＧＴＣフレームのＰＣＢｄフィールド５００に追加される。ここで、ＯＭＣＣフィールド５４の内容、サイズ及び位置に関しては具体的に説明されていないが、基本的に、Ｇ．９８３．２のフォーマットに従う。つまり、図３の反応関係識別子(Transaction Correlation Identifier)３０２、メッセージタイプ３０３、ディバイス識別子３０４、メッセージ識別子３０５、及びメッセージコンテンツ３０６が含まれることができる。
【００４１】
さらに、ＯＭＣＣフィールド５４は、常に伝送されることでなく必要によって挿入されることができるので、対応するフィールドが挿入されたか否かを表示するためのフラグビットが挿入されることができる。これに関しては、図７を参照して詳細に後述する。
図７は、本発明によるＧＰＯＮにおけるＧＴＣフレームにＯＭＣＣフィールドが含まれているか否かを表示するためのフラグフィールドが挿入されたＧＴＣフレームの構造図である。
【００４２】
本発明の他の実施形態によると、図５ないし図６を参照して説明されたＩｄｅｎｔフィールド５２にＯＭＣＣ認知フィールド(OMCC indic field)７３が追加されて、このＯＭＣＣ認知フィールド７３の値によってＯＭＣＣフィールドの挿入有無が判断される。さらに、キー認知フィールド(Key indic field)７１は、キースイッチング(Key-switching)に関する情報を示す、ＦＥＣ認知フィールド(FEC indic field)７２は、ＦＥＣが使用されたか否かを示す情報を示す。 
【００４３】
以上、本発明を具体的な一実施形態を参照して詳細に説明してきたが、本発明の範囲は前述の一実施形態によって限られるべきではなく、本発明の範囲内で様々な変形が可能であるということは、当該技術分野における通常の知識を持つ者には明らかである
図５ないし図８を参照してＯＬＴからＯＮＴへのダウンストリームに対する構成を説明したが、ＯＮＴからＯＬＴへのアップストリームに対する構造の場合も同一の方法で説明されることができる。つまり、ＯＮＴからＯＬＴへのアップストリームの場合、ＰＣＢｄと同一の構造を有する物理制御ブロックアップストリーム(Physical control Block upstream: ＰＣＢｕ)フィールドが採用される。従って、図５ないし図８の説明は、全てＰＣＢｕフィールドに適用される。
【図面の簡単な説明】
【００４４】
【図１】通常のＰＯＮの例を示す構成図である。
【図２】通常のＧＰＯＮのプロトコルスタック構造を示す図である。
【図３】Ｇ．９８３．２において定義されたＢＰＯＮのＯＮＴ管理制御情報を伝達するフレームの構造図である。
【図４】従来のＴＤＭ及びイーサネット(登録商標)サービスを支援するＧＥＭモードのフレームの構造図である。
【図５】本発明の実施形態によるＧＰＯＮにおけるＧＴＣフレームの構造図である。
【図６】本発明の他の実施形態によるＧＰＯＮにおけるＧＴＣフレームの構造図である。
【図７】本発明の実施形態によるＧＰＯＮにおけるＧＴＣフレームにＯＭＣＣフィールドが含まれているかどうかを表示するためのフラグフィールドが挿入されたＧＴＣフレームの構造図である。
【図８】図６の実施形態によるＧＰＯＮのプロトコルスタック構造を示す図である。
【符号の説明】
【００４５】
５１      ＰＳｙｎｃフィールド
５２      Ｉｄｅｎｔフィールド
５３      ＰＬＯＡＭフィールド
５４      ＯＭＣＣフィールド
５００    ＰＣＢｄフィールド
５１０    ペイロードフィールド
【図１】
2004320745.tif 000003
【図２】
2004320745.tif 000004
【図３】
2004320745.tif 000005
【図４】
2004320745.tif 000006
【図５】
2004320745.tif 000007
【図６】
2004320745.tif 000008
【図７】
2004320745.tif 000009
【図８】
2004320745.tif 000010